(57)【要約】【課題】記録時間の短縮と記録エラー防止に対する信頼性を高めた光ディスク記録方法と光ディスク装置を提供することを目的とする。【解決手段】本発明は、上記の課題を解決するためになされたものであって、複数の記録層を持つ光ディスクの記録方法であって、光ディスクの複数個所に存在する光ディスクの管理情報を記録する非ユーザーデータ記録領域への記録順序が、使用者の指示により利用されるユーザーデータ記録領域へ記録する際の記録終了位置（Ｓ２〜Ｓ６）に基づき変更されること（Ｓ２２、Ｓ２３、Ｓ３１、Ｓ４１、Ｓ５２、Ｓ５３、Ｓ６１、Ｓ６２）を特徴とするものである。【選択図】図６
2006202392.tif 000002
【特許請求の範囲】
【請求項１】
複数の記録層を持つ光ディスクの記録方法であって、前記光ディスクの複数個所に存在する光ディスクの管理情報を記録する非ユーザーデータ記録領域への記録順序が、使用者の指示により利用されるユーザーデータ記録領域へ記録する際の記録終了位置に基づき変更されることを特徴とする光ディスク記録方法。
【請求項２】
前記光ディスクの複数箇所に存在する非ユーザーデータ記録領域への記録順序の変更は、セッションクローズ時に行なわれることを特徴とする請求項１に記載の光ディスク記録方法。
【請求項３】
前記セッションクローズ時に行なわれる光ディスクの複数箇所に存在する非ユーザーデータ記録領域への一連の記録順序は、同一記録層に記録する際には、使用者の指示により利用されるユーザーデータ記録領域へ記録する際の記録終了位置から単一方向にのみ移動する記録順序であり、かつ記録層間を移動する際にはその記録層間の移動が１回であることを特徴とする請求項１、２いずれか１項に記載の光ディスク記録方法。
【請求項４】
前記光ディスクの複数箇所に存在する非ユーザーデータ記録領域への記録順序は、光ディスクの最内周の非ユーザーデータ記録領域か、もしくは光ディスクの最外周の非ユーザーデータ記録領域であることを特徴とする請求項１〜３いずれか１項に記載の光ディスク記録方法。
【請求項５】
前記複数の記録層を持つ光ディスクは、光ディスクの厚み方向に複数の記録層を持つことを特徴とする請求項１〜４いずれか１項に記載の光ディスク記録方法。
【請求項６】
複数の記録層を持つ光ディスクに記録する光ディスク装置であって、
光ディスクに対して情報の記録を行なう光ピックアップと、光ディスクを回転させる回転駆動手段と、光ディスクの複数個所に存在する光ディスクの管理情報を記録する非ユーザーデータ記録領域への記録順序を決定する制御部を備え、前記制御部は，前記光ディスクの複数個所に存在する光ディスクの管理情報を記録する非ユーザーデータ記録領域への記録順序を変更することを特徴とする光ディスク装置。
【請求項７】
前記複数の記録層を持つ光ディスクは、ＤＶＤ＋Ｒであることを特徴とする請求項１〜６のいずれかに記載の光ディスク記録方法および光ディスク装置。
【発明の詳細な説明】
【技術分野】
【０００１】
本発明は、光ディスクに対して情報の記録を行なう光ディスク記録方法および光ディスク装置に関するものである。
【背景技術】
【０００２】
光学記録再生用媒体として、ＣＤ−ＲＯＭ／Ｒ／ＲＷ、ＤＶＤ−ＲＯＭ／ＲＡＭ／Ｒ／ＲＷなどがすでに実用化されており、各方面への応用と高性能化への開発が活発に行われている。
【０００３】
以下、従来の光ディスク装置の構成について、図７を用いて説明する。
【０００４】
図７は、従来の光ディスク装置の構成を示すブロック図である。図７において、１は光ディスク装置、２はディスクモータ、３は光ピックアップ、４はトラバース、５はドライバ、６はＲＦアンプ、７は信号処理部、８はサーボ制御部、９はＣＰＵである。
【０００５】
光ディスク装置は、ディスクモータ２、光ピックアップ３、トラバース４、ドライバ５、ＲＦアンプ６、信号処理部７、サーボ制御部８、ＣＰＵ９で構成されており、ディスクモータ２で光ディスク１を回転させ、レーザ発光素子（図示せず）が設けられた光ピックアップ３が、光ディスク１にレーザ光を照射することによってデータの記録または再生の少なくとも一方を行なう。
【０００６】
光ピックアップ３の移動手段であるトラバース４は光ピックアップ３を光ディスク１の半径方向に移動させ、ドライバ５はディスクモータ２と光ピックアップ３とトラバース４を駆動する。ＲＦアンプ６は光ピックアップ３から得られた信号の増幅を行い、信号処理部７はＲＦアンプから送られてきた光ピックアップ３で得られた信号処理を行なうか、あるいは光ディスク１へ記録する情報を生成する信号処理を行ない、ＲＦアンプ６を介して光ピックアップ３へ信号の送出を行なう。サーボ制御部８はディスクモータ２と光ピックアップ３とトラバース４を駆動するドライバ５の制御を行ない、ＣＰＵ９は光ディスク装置全体の動作を制御する。
【０００７】
光ディスク１は、使用者の指示により能動的に利用するユーザーデータ記録領域以外に、光ディスク１の複数個所には光ディスク１の管理情報が記録されている非ユーザーデータ記録領域が存在し、光ディスク装置はセッションをクローズする際などに、この非ユーザーデータ記録領域を記録する。特に複数の記録層を持つ、例えば２層対応の光ディスク１などにおいては、非ユーザーデータ記録領域に記録する際に時間を要する。
【０００８】
複数の記録層を持つ光ディスク１の管理情報を記録する非ユーザーデータ記録領域には、ＴＯＣ、ＲＡＩ、Ｌｅａｄ−ｉｎ、Ｉｎｔｒｏ、Ｌｅａｄ−Ｏｕｔ、Ｃｌｏｓｕｒｅ、Ｍｉｄｄｌｅ  Ｚｏｎｅ０、Ｍｉｄｄｌｅ  Ｚｏｎｅ１、Ｐａｒｔｉａｌ  Ｌｅａｄ−ｏｕｔがある。
【０００９】
ここで、ＴＯＣは、各セッション情報を記録するエリアであり、セッションをクローズする毎に一定数のセクタが記録され、一定のセクタにはそのセッションの開始アドレス及び終了アドレス、現在のセッションが最終であるかを示すステータス、つまり、ファイナライズされているかの情報、および記録した光ディスク装置の情報などが記録されている。ＲＡＩは、光ディスク１上の記録位置の探索を高速に行なうために定義された領域であり、この領域に記録されたセクタ数により、光ディスク全体の記録量を知ることができる。Ｌｅａｄ−ｉｎは、セッション情報を記録する領域であり、Ｆｒａｇｍｅｎｔ開始アドレス、終了アドレス、これまでのセッション情報などを含む情報、セッションの開始アドレス、終了アドレス、Ｌａｙｅｒ０層の終端アドレスなどを含む情報などが記録されている。Ｉｎｔｒｏは、各セッションの先頭に記録される領域であり、Ｆｒａｇｍｅｎｔ開始アドレス、終了アドレス、これまでのセッション情報などを含むＳｅｓｓｉｏｎ  Ｄｉｓｃ  Ｃｏｎｔｒｏｌ  Ｂｌｏｃｋ（ＳＤＣＢ）、セッションの開始アドレス、終了アドレス、Ｌａｙｅｒ０層の終端アドレスなどを含むＣｏｎｔｒｏｌ  Ｄａｔａ  Ｂｌｏｃｋなどが記録されている。Ｌｅａｄ−Ｏｕｔは、ディスクファイナライズ、つまり追記不可状態でセッションをクローズする時に記録される領域である。また、Ｐａｒｔｉａｌ  Ｌｅａｄ−Ｏｕｔは、Ｌｅａｄ−Ｏｕｔの一部であり、１ｓｔセッションを追記可能状態でクローズする時に記録される。Ｃｌｏｓｕｒｅは、各々のセッションの最後に記録される領域で、そのセッションのＬｅａｄ−ｉｎもしくはＩｎｔｒｏに記録するＳＤＣＢと同じものが記録される領域とＺｅｒｏデータが記録される領域がある。Ｍｉｄｄｌｅ  Ｚｏｎｅ０は、Ｌａｙｅｒ０層のユーザーデータ記録領域の外周に位置し、全てＺｅｒｏデータを記録する。外周付近のユーザーデータを読み込む場合、光ピックアップ３がユーザーデータ記録領域を超えても未記録領域に入らないようにする役割がある。Ｍｉｄｄｌｅ  Ｚｏｎｅ１は、Ｌａｙｅｒ１層のユーザーデータ記録領域の外周に位置し、全てＺｅｒｏデータを記録する。外周付近のユーザーデータを読み込む場合、光ピックアップ３がユーザーデータ記録領域を超えても未記録領域に入らないようにする役割がある。
【００１０】
また、Ｌａｙｅｒ０層は光ディスクの厚み方向の中心に近い方、つまり下層となり、Ｌａｙｅｒ１層が光ディスクの厚み方向の中心から遠い方、つまり上層となる。
【００１１】
次に、従来の複数の記録層を持つ光ディスクの非ユーザーデータ記録領域の記録順序について、図８、図９、図１０、図１１を用いて説明する。
【００１２】
図８〜図１１は、従来の非ユーザーデータ記録領域の記録順序を示す図であり、いずれの場合も２ｎｄセッションクローズ時を示すものである。図８は、ＩｎｔｒｏがＬａｙｅｒ０層で、ＣｌｏｓｕｒｅがＬａｙｅｒ１層となる場合であり、図９は、ＩｎｔｒｏがＬａｙｅｒ０層とＬａｙｅｒ１層に跨っている場合であり、図１０は、ＩｎｔｒｏとＣｌｏｓｕｒｅが共にＬａｙｅｒ１層となる場合であり、図１１は、ＣｌｏｓｕｒｅがＬａｙｅｒを跨る場合である。また、図中に示す番号（１）〜（７）は、非ユーザーデータ記録領域の記録順序を示すものであり、それぞれの図において（１）、（２）、（３）という順序で光ピックアップ３が移動する。
【００１３】
図８〜図１１においては、ＩｎｔｒｏやＣｌｏｓｕｒｅなどの非ユーザーデータ記録領域がそれぞれ異なるパターンで存在するのであるが、いずれの場合もＭｉｄｄｌｅ  Ｚｏｎｅ０、Ｍｉｄｄｌｅ  Ｚｏｎｅ１の記録の有無を除いて、Ｃｌｏｓｕｒｅ→Ｉｎｔｒｏ→ＴＯＣ→ＲＡＩの順序で光ピックアップ３が移動する。これは、単層ディスクの場合の記録と共通な処理を多くしていることに起因している。
【００１４】
この分野の先行例としては、（特許文献１）等がある。
【特許文献１】特開２０００−２１５６１４号公報
【発明の開示】
【発明が解決しようとする課題】
【００１５】
しかしながら、光ディスク１の管理情報を記録する非ユーザーデータ記録領域であるＴＯＣ、ＲＡＩ、Ｌｅａｄ−ｉｎ、Ｉｎｔｒｏ、Ｌｅａｄ−Ｏｕｔ、Ｃｌｏｓｕｒｅ、Ｍｉｄｄｌｅ  Ｚｏｎｅ０、Ｍｉｄｄｌｅ  Ｚｏｎｅ１などへの記録順序は、使用者の指示により利用されるユーザーデータ記録領域へ記録する際の記録終了位置がどこで終了していても同じ順序で記録しており、ユーザーデータ記録領域へ記録する際の記録終了位置によっては、光ピックアップの非ユーザーデータ記録領域への記録の際の移動距離が長くなり、記録時間が長くなっていた。
【００１６】
本発明は、上記課題を解決するためになされたものであって、記録時間の短縮と記録エラー防止に対する信頼性を高めた光ディスク記録方法と光ディスク装置を提供することを目的とする。
【課題を解決するための手段】
【００１７】
本発明は、複数の記録層を持つ光ディスク記録方法であって、光ディスクの複数個所に存在する光ディスクの管理情報を記録する非ユーザーデータ記録領域への記録順序が、使用者の指示により利用されるユーザーデータ記録領域へ記録する際の記録終了位置に基づき変更されることを特徴とする光ディスク記録方法である。
【００１８】
また、本発明の光ディスク装置は、複数の記録層を持つ光ディスクを記録する光ディスク装置であって、光ディスクに対して情報の記録を行なう光ピックアップと、光ディスクを回転させる回転駆動手段と、光ディスクの複数個所に存在する光ディスクの管理情報を記録する非ユーザーデータ記録領域への記録順序を決定する制御部を備え、制御部は、前記光ディスクの複数個所に存在する光ディスクの管理情報を記録する非ユーザーデータ記録領域への記録順序を変更することを特徴とする光ディスク装置である。
【発明の効果】
【００１９】
本発明は上記構成により、使用者の指示により利用されるユーザーデータ記録領域へ記録する際の記録終了位置に基づき、光ディスク面上の複数個所に存在する光ディスクの管理情報を記録する非ユーザーデータ記録領域への記録順序が変更されるため、使用者の指示により利用されるユーザーデータ記録領域の記録がどこで終了しても、非ユーザーデータ記録領域への記録順序を光ピックアップの移動距離の最短で設定することが可能となり、また、光ピックアップの光ディスクに設けられた記録層間の移動回数を最小限に抑えることも可能となるため、光ディスクに設けられた記録層間の移動に起因するサーボエラーになる確率も小さくすることができる。
【００２０】
そのため、記録時間の短縮と記録エラー防止に対する信頼性を高めた光ディスク記録方法および光ディスク装置を実現することができる。
【発明を実施するための最良の形態】
【００２１】
請求項１記載の発明は、複数の記録層を持つ光ディスク記録方法であって、光ディスクの複数個所に存在する光ディスクの管理情報を記録する非ユーザーデータ記録領域への記録順序が、使用者の指示により利用されるユーザーデータ記録領域へ記録する際の記録終了位置に基づき変更されることを特徴とするものである。光ディスクの複数個所に存在する光ディスクの管理情報を記録する非ユーザーデータ記録領域への記録順序が、使用者の指示により利用されるユーザーデータ記録領域へ記録する際の記録終了位置に基づき変更されることによって、ユーザーデータ記録領域へ記録する際の記録終了位置に基づき、光ディスク面上の複数個所に存在する非ユーザーデータ記録領域への記録順序が変更されるため、ユーザーデータ記録領域の記録がどこで終了しても、非ユーザーデータ記録領域への記録順序を光ピックアップの移動距離の最短距離で設定することが可能となり、また、光ピックアップの光ディスクに設けられた記録層間の移動回数を最小限に抑えることも可能となるため、光ディスクに設けられた記録層間の移動に起因するサーボエラーになる確率も小さくすることができる。そのため、記録時間の短縮と記録エラー防止に対する信頼性を高めた光ディスク記録方法を実現することができる。
【００２２】
請求項２記載の発明は、光ディスクの複数個所に存在する非ユーザーデータ記録領域への記録順序の変更が、セッションクローズ時に行なわれることを特徴とするものである。光ディスクの複数個所に存在する非ユーザーデータ記録領域への記録順序の変更が、セッションクローズ時に行なわれることによって、セッションクローズ時に必要な時間を、使用者の指示により利用されるユーザーデータ記録領域へ記録する際の記録終了位置に大きく左右されること無く、短縮することができる。
【００２３】
請求項３記載の発明は、セッションクローズ時に行なわれる光ディスクの複数箇所に存在する非ユーザーデータ記録領域への一連の記録順序は、同一記録層に記録する際には、使用者の指示により利用されるユーザーデータ記録領域へ記録する際の記録終了位置から単一方向にのみ移動する記録順序であり、かつ記録層間を移動する際にはその記録層間の移動が１回であることを特徴とするものである。セッションクローズ時に行なわれる光ディスクの複数箇所に存在する非ユーザーデータ記録領域への一連の記録順序が、同一記録層に記録する際には、単一方向にのみ移動する記録順序であり、かつ記録層間を移動する際にはその記録層間の移動が１回であることによって、光ピックアップの移動距離を効果的に短縮することができる。
【００２４】
請求項４記載の発明は、光ディスクの複数個所に存在する非ユーザーデータ記録領域への記録順序が、光ディスクの最内周の非ユーザーデータ記録領域か、もしくは光ディスクの最外周の非ユーザーデータ記録領域であることを特徴とするものである。光ディスクの複数個所に存在する光ディスクの管理情報を記録する非ユーザーデータ記録領域への記録順序が、光ディスクの最内周の非ユーザーデータ記録領域か、もしくは光ディスクの最外周の非ユーザーデータ記録領域であることによって、光ピックアップの移動距離を効果的に短縮することができる。
【００２５】
請求項５記載の発明は、複数の記録層を持つ光ディスクが、光ディスクの厚み方向に複数の記録層を持つことを特徴とするものである。本発明を、厚み方向に複数の記録層を持った光ディスクに用いることによって、光ピックアップが光ディスクに設けられた記録層間を移動する回数を効果的に抑えることが可能となる。
【００２６】
請求項６記載の発明は、複数の記録層を持つ光ディスクを記録する光ディスク装置であって、光ディスクに対して情報の記録を行なう光ピックアップと、光ディスクを回転させる回転駆動手段と、光ディスクの複数個所に存在する光ディスクの管理情報を記録する非ユーザーデータ記録領域への記録順序を決定する制御部を備え、制御部が、光ディスクの複数個所に存在する光ディスクの管理情報を記録する非ユーザーデータ記録領域への記録順序を変更することを特徴とするものである。制御部が、光ディスクの複数個所に存在する光ディスクの管理情報を記録する非ユーザーデータ記録領域への記録順序を変更することによって、ユーザーデータ記録領域へ記録する際の記録終了位置に基づき、光ディスクの複数個所に存在する非ユーザーデータ記録領域への記録順序が変更されるため、ユーザーデータ記録領域の記録がどこで終了しても、非ユーザーデータ記録領域への記録順序を光ピックアップの移動距離の最短距離で設定することが可能となり、また、光ピックアップが光ディスクに設けられた記録層間を移動する回数を最小限に抑えることも可能となるため、光ディスクに設けられた記録層間の移動に起因するサーボエラーの確率も小さくすることができる。そのため、記録時間の短縮と記録エラー防止に対する信頼性を高めた光ディスク装置を実現することができる。
【００２７】
請求項７記載の発明は、複数の記録層を持つ光ディスクが、ＤＶＤ＋Ｒであることを特徴とするものである。本発明に、ＤＶＤ＋Ｒを用いることによって、光ピックアップの移動距離を効果的に短縮することができる。
【００２８】
（実施の形態１）
以下、複数の記録層を持つ光ディスクの一例として、ＤＶＤ＋Ｒの例を用いながら、本実施の形態について説明する。
【００２９】
図１は、本発明の一実施の形態における光ディスク装置の構成を示すブロック図である。図１において、１は光ディスク装置、２はディスクモータ、３は光ピックアップ、４はトラバース、５はドライバ、６はＲＦアンプ、７は信号処理部、８はサーボ制御部、９はＣＰＵである。ここで、ＣＰＵ９は本発明の制御部を構成し、信号処理部７、サーボ制御部８の各部から送られる信号が入力され、これらの信号の演算処理等を行い、この演算処理の結果（信号）を各部に送出し、各部にて駆動、処理を実行させ、各部の制御を行うものである。ＣＰＵ９には、少なくとも、演算機能を備えた演算処理装置や、ＲＯＭ、ＲＡＭ等の記憶装置を備えたものである。
【００３０】
光ディスク装置は、ディスクモータ２、光ピックアップ３、トラバース４、ドライバ５、ＲＦアンプ６、信号処理部７、サーボ制御部８、ＣＰＵ９で構成されており、ディスクモータ２で光ディスク１を回転させ、レーザ発光素子（図示せず）が設けられた光ピックアップ３が、光ディスク１にレーザ光を照射することによってデータの記録または再生の少なくとも一方を行なう。
【００３１】
光ピックアップ３の移動手段であるトラバース４は光ピックアップ３を光ディスク１の半径方向に移動させ、ドライバ５はディスクモータ２と光ピックアップ３とトラバース４を駆動する。ＲＦアンプ６は光ピックアップ３から得られた信号の増幅を行い、信号処理部７はＲＦアンプから送られてきた光ピックアップ３で得られた信号処理を行なうか、あるいは光ディスク１へ記録する情報を生成する信号処理を行ない、ＲＦアンプ６を介して光ピックアップ３へ信号の送出を行なう。サーボ制御部８はディスクモータ２と光ピックアップ３とトラバース４を駆動するドライバ５の制御を行ない、ＣＰＵ９は光ディスク装置全体の動作を制御する。
【００３２】
光ディスク１は、使用者の指示により能動的に利用するユーザーデータ記録領域以外に、光ディスク１の複数個所には光ディスク１の管理情報が記録されている非ユーザーデータ記録領域が存在し、光ディスク装置はセッションをクローズする際などに、この非ユーザーデータ記録領域を記録する。
【００３３】
複数の記録層を持つ光ディスク１の管理情報を記録する非ユーザーデータ記録領域には、ＴＯＣ、ＲＡＩ、Ｌｅａｄ−ｉｎ、Ｉｎｔｒｏ、Ｌｅａｄ−Ｏｕｔ、Ｃｌｏｓｕｒｅ、Ｍｉｄｄｌｅ  Ｚｏｎｅ０、Ｍｉｄｄｌｅ  Ｚｏｎｅ１、Ｐａｒｔｉａｌ  Ｌｅａｄ−ｏｕｔがある。
【００３４】
ここで、ＴＯＣは、各セッション情報を記録するエリアであり、セッションをクローズする毎に一定数のセクタが記録され、一定のセクタにはそのセッションの開始アドレス及び終了アドレス、現在のセッションが最終であるかを示すステータス、つまり、ファイナライズされているかの情報、および記録した光ディスク装置の情報などが記録されている。ＲＡＩは、光ディスク１上の記録位置の探索を高速に行なうために定義された領域であり、この領域に記録されたセクタ数により、光ディスク全体の記録量を知ることができる。Ｌｅａｄ−ｉｎは、セッション情報を記録する領域であり、Ｆｒａｇｍｅｎｔ開始アドレス、終了アドレス、これまでのセッション情報などを含む情報、セッションの開始アドレス、終了アドレス、Ｌａｙｅｒ０層の終端アドレスなどを含む情報などが記録されている。Ｉｎｔｒｏは、各セッションの先頭に記録される領域であり、Ｆｒａｇｍｅｎｔ開始アドレス、終了アドレス、これまでのセッション情報などを含むＳｅｓｓｉｏｎ  Ｄｉｓｃ  Ｃｏｎｔｒｏｌ  Ｂｌｏｃｋ（ＳＤＣＢ）、セッションの開始アドレス、終了アドレス、Ｌａｙｅｒ０層の終端アドレスなどを含むＣｏｎｔｒｏｌ  Ｄａｔａ  Ｂｌｏｃｋなどが記録されている。Ｌｅａｄ−Ｏｕｔは、ディスクファイナライズ、つまり追記不可状態でセッションをクローズする時に記録される領域で、ユーザーデータ記録領域の残りの未記録領域と、Ｌｅａｄ−ｉｎと同じ長さ、同じ半径位置にある上層領域（Ｌａｙｅｒ１層）であり、Ｚｅｒｏデータを記録する。光ピックアップ３がユーザーデータ領域を超えても未記録領域に入らないようにする役割がある。また、Ｐａｒｔｉａｌ  Ｌｅａｄ−Ｏｕｔは、Ｌｅａｄ−Ｏｕｔの一部であり、１ｓｔセッションを追記可能状態でクローズする時に記録される。Ｃｌｏｓｕｒｅは、各々のセッションの最後に記録される領域で、そのセッションのＬｅａｄ−ｉｎもしくはＩｎｔｒｏに記録するＳＤＣＢと同じものが記録される領域とＺｅｒｏデータが記録される領域がある。Ｍｉｄｄｌｅ  Ｚｏｎｅ０は、Ｌａｙｅｒ０層のユーザーデータ記録領域の外周に位置し、全てＺｅｒｏデータを記録する。外周付近のユーザーデータを読み込む場合、光ピックアップ３がユーザーデータ記録領域を超えても未記録領域に入らないようにする役割がある。Ｍｉｄｄｌｅ  Ｚｏｎｅ１は、Ｌａｙｅｒ１層のユーザーデータ記録領域の外周に位置し、全てＺｅｒｏデータを記録する。外周付近のユーザーデータを読み込む場合、光ピックアップ３がユーザーデータ記録領域を超えても未記録領域に入らないようにする役割がある。
【００３５】
また、Ｌａｙｅｒ０層は光ディスクの厚み方向の中心に近い方、つまり下層となり、Ｌａｙｅｒ１層が光ディスクの厚み方向の中心から遠い方、つまり上層となる。
【００３６】
次に、本実施の形態における複数の記録層を持つ光ディスクの非ユーザーデータ記録領域の記録順序について、図２〜図５を用いて説明する。
【００３７】
図２、図３、図４、図５は、本発明の一実施の形態における非ユーザーデータ記録領域の記録順序を示す図であり、いずれの場合も２ｎｄセッションクローズ時を示すものである。図２は、ＩｎｔｒｏがＬａｙｅｒ０層で、ＣｌｏｓｕｒｅがＬａｙｅｒ１層にある場合で従来例の図８に対応しており、図３は、ＩｎｔｒｏがＬａｙｅｒ０層とＬａｙｅｒ１層に跨っている場合で従来例の図９に対応しており、図４は、ＩｎｔｒｏとＣｌｏｓｕｒｅが共にＬａｙｅｒ１層にある場合で従来例の図１０に対応しており、図５は、ＣｌｏｓｕｒｅがＬａｙｅｒを跨る場合であり、従来例の図１１に対応している。また、図中に示す番号（１）〜（７）は、非ユーザーデータ記録領域の記録順序を示すものであり、それぞれの図において（１）、（２）、（３）という順序で光ピックアップ３が移動する。
【００３８】
従来の実施の形態においては、図８〜図１１に示すように光ディスク１の管理情報を記録する非ユーザーデータ記録領域であるＴＯＣ、ＲＡＩ、Ｌｅａｄ−ｉｎ、Ｉｎｔｒｏ、Ｌｅａｄ−Ｏｕｔ、Ｃｌｏｓｕｒｅ、Ｍｉｄｄｌｅ  Ｚｏｎｅ０、Ｍｉｄｄｌｅ  Ｚｏｎｅ１などの記録領域への記録順序は、使用者の指示により利用されるユーザーデータ記録領域へ記録する際の記録終了位置がどこで終了しても、つまりＩｎｔｒｏやＣｌｏｓｕｒｅなどの非ユーザーデータ記録領域がそれぞれ異なるパターンで存在しても、同じ順序で記録しており、使用者の指示により利用されるユーザーデータ記録領域へ記録する際の記録終了位置によっては、光ピックアップの移動距離が長くなり、その分、記録時間が長くなっていた。
【００３９】
ところが、図２〜図５に示す本発明の一実施の形態における非ユーザーデータ記録領域の記録順序においては、光ディスク１の複数個所に存在する光ディスク１の管理情報を記録する非ユーザーデータ記録領域への記録順序が、使用者の指示により利用されるユーザーデータ記録領域へ記録する際の記録終了位置に基づき変更される。
【００４０】
例えば、図２と図８に示すＩｎｔｒｏがＬａｙｅｒ０層にあり、ＣｌｏｓｕｒｅがＬａｙｅｒ１層にある場合には、本発明の場合、従来の場合と比較して、光ピックアップ３の移動距離はＩｎｔｒｏの２倍の長さ程度減少する。また、図３と図９に示すＩｎｔｒｏがＬａｙｅｒ０層とＬａｙｅｒ１層に跨っている場合には、本発明の場合、従来の場合と比較して、光ピックアップ３の移動距離はＣｌｏｓｕｒｅが光ディスク１の中周付近にある場合では１／３程度に減少し、光ピックアップ３が光ディスク１に設けられた記録層間を移動する回数は２回減少する。また、図４と図１０に示すＩｎｔｒｏとＣｌｏｓｕｒｅが共にＬａｙｅｒ１層にある場合には、本発明の場合、従来の場合と比較して、光ピックアップ３の移動距離はＣｌｏｓｕｒｅの長さの２倍程度減少する。さらにまた、図５と図１１に示すＣｌｏｓｕｒｅがＬａｙｅｒを跨る場合には、本発明の場合、従来の場合と比較して、光ピックアップ３の移動距離は、Ｃｌｏｓｕｒｅの２倍の長さ程度減少し、光ピックアップ３が光ディスク１に設けられた記録層間を移動する回数は２回減少する。
【００４１】
次に、本実施の形態におけるセッションクローズ時の記録順序の決定方法について図６を用いて説明する。
【００４２】
図６は、本発明の一実施の形態におけるセッションクローズ時の記録順序の決定方法を示すフローチャートである。
【００４３】
光ディスク装置は、ユーザーデータ領域に使用者から指示されたデータを記録した後にセッションクローズの動作を行なう。セッションクローズの動作は、光ディスク１の非ユーザーデータ領域へ光ディスク１の記録情報を書き込む必要があり、その動作は、まず光ディスク１内の構成判別から始まる。（Ｓ１）。
【００４４】
光ディスク１内の構成判別は、光ピックアップ３により得られる光ディスク１の情報がＲＦアンプ６、信号処理部７を経由してＣＰＵ９に伝わり、そこで光ディスク１内の構成判別と非ユーザーデータの記録順序の決定が行なわれる。その後、ＣＰＵ９は、決定された非ユーザーデータの記録順序に従って、サーボ制御部８、ドライバ５、トラバース４を介して光ピックアップ３を制御する。
【００４５】
以下、セッションクローズ時の非ユーザーデータ記録領域の記録順序の決定方法について説明する。
【００４６】
まず、光ディスク１がＬａｙｅｒ０層のみのセッションであるか（Ｓ２）、Ｌａｙｅｒ１層のみのセッションであるか（Ｓ３）の判別を行なう。
【００４７】
Ｌａｙｅｒ０層のみのセッションである場合は、次に使用者の指示により利用されるユーザーデータ記録領域へ記録する際の記録終了位置が、１ｓｔセッションであるかの判別を行なう（Ｓ２１）。１ｓｔセッションである場合には、非ユーザーデータ記録領域の記録順序をＴＯＣ→ＲＡＩ→Ｌｅａｄ−ｉｎ→Ｃｌｏｓｕｒｅ→Ｐａｒｔｉａｌ  Ｌｅａｄ−Ｏｕｔの順に設定し（Ｓ２２）、その記録順序に従って記録を行なう（Ｓ７）。また、１ｓｔセッションでない場合には、非ユーザーデータ記録領域の記録順序をＴＯＣ→ＲＡＩ→Ｉｎｔｒｏ→Ｃｌｏｓｕｒｅの順に設定し（Ｓ２３）、その記録順序に従って記録を行なう（Ｓ７）。
【００４８】
また、光ディスク１がＬａｙｅｒ１層のみのセッションである場合には、非ユーザーデータ記録領域の記録順序をＴＯＣ→ＲＡＩ→Ｉｎｔｒｏ→Ｃｌｏｓｕｒｅの順に設定し（Ｓ３１）、その記録順序に従って記録を行なう（Ｓ７）。この非ユーザーデータ記録領域の記録順序が図４に示すものと対応する。
【００４９】
光ディスク１がＬａｙｅｒ０層のみのセッションで無く、かつＬａｙｅｒ１層のみのセッションで無い場合、つまりＬａｙｅｒ０層とＬａｙｅｒ１層に跨ったセッションがある場合で、ＩｎｔｒｏがＬａｙｅｒを跨いでいる場合（Ｓ４）には、非ユーザーデータ記録領域の記録順序をＴＯＣ→ＲＡＩ→Ｉｎｔｒｏ（Ｌａｙｅｒ０層）→Ｍｉｄｄｌｅ  Ｚｏｎｅ０→Ｍｉｄｄｌｅ  Ｚｏｎｅ１→Ｉｎｔｒｏ（Ｌａｙｅｒ１層）→Ｃｌｏｓｕｒｅの順に設定し（Ｓ４１）、その記録順序に従って記録を行なう（Ｓ７）。この非ユーザーデータ記録領域の記録順序が図３に示すものと対応する。
【００５０】
また、ＣｌｏｓｕｒｅがＬａｙｅｒを跨いでいる場合（Ｓ５）には、次に使用者の指示により利用されるユーザーデータ記録領域へ記録する際の記録終了位置が、１ｓｔセッションであるかの判別を行なう（Ｓ５１）。１ｓｔセッションである場合には、非ユーザーデータ記録領域の記録順序をＴＯＣ→ＲＡＩ→Ｌｅａｄ−ｉｎ→Ｃｌｏｓｕｒｅ（Ｌａｙｅｒ０層）→Ｍｉｄｄｌｅ  Ｚｏｎｅ０→Ｍｉｄｄｌｅ  Ｚｏｎｅ１→Ｃｌｏｓｕｒｅ（Ｌａｙｅｒ１層）→Ｐａｒｔｉａｌ  Ｌｅａｄ−Ｏｕｔの順に設定し（Ｓ５２）、その記録順序に従って記録を行なう（Ｓ７）。１ｓｔセッションで無い場合には、非ユーザーデータ記録領域の記録順序をＴＯＣ→ＲＡＩ→Ｉｎｔｒｏ→Ｃｌｏｓｕｒｅ（Ｌａｙｅｒ０層）→Ｍｉｄｄｌｅ  Ｚｏｎｅ０→Ｍｉｄｄｌｅ  Ｚｏｎｅ１→Ｃｌｏｓｕｒｅ（Ｌａｙｅｒ１層）の順に設定し（Ｓ５３）、その記録順序に従って記録を行なう（Ｓ７）。この非ユーザーデータ記録領域の記録順序が図５に示すものと対応する。
【００５１】
また、光ディスク１がＬａｙｅｒ０層のみのセッションで無く、かつＬａｙｅｒ１層のみのセッションで無い場合、つまりＬａｙｅｒ０層とＬａｙｅｒ１層に跨ったセッションがある場合で、ＩｎｔｒｏとＣｌｏｓｕｒｅともにＬａｙｅｒを跨いでいない場合にも、次に使用者の指示により利用されるユーザーデータ記録領域へ記録する際の記録終了位置が、１ｓｔセッションであるかの判別を行なう（Ｓ６）。１ｓｔセッションである場合には、非ユーザーデータ記録領域の記録順序をＴＯＣ→ＲＡＩ→Ｌｅａｄ−ｉｎ→Ｍｉｄｄｌｅ  Ｚｏｎｅ０→Ｍｉｄｄｌｅ  Ｚｏｎｅ１→Ｃｌｏｓｕｒｅ→Ｐａｒｔｉａｌ  Ｌｅａｄ−Ｏｕｔの順に設定し（Ｓ６１）、その記録順序に従って記録を行なう（Ｓ７）。また、１ｓｔセッションで無い場合には、非ユーザーデータ記録領域の記録順序をＴＯＣ→ＲＡＩ→Ｉｎｔｒｏ→Ｍｉｄｄｌｅ  Ｚｏｎｅ０→Ｍｉｄｄｌｅ  Ｚｏｎｅ１→Ｃｌｏｓｕｒｅの順に設定し（Ｓ６２）、その記録順序に従って記録を行なう（Ｓ７）。この非ユーザーデータ記録領域の記録順序が図２に示すものと対応する。
【００５２】
これらのことにより、使用者の指示により利用されるユーザーデータ記録領域へ記録する際の記録終了位置に基づき、光ディスク１面上の複数個所に存在する光ディスク１の管理情報を記録する非ユーザーデータ記録領域への記録順序が変更されるため、使用者の指示により利用されるユーザーデータ記録領域の記録がどこで終了しても、光ディスク１の管理情報を記録する非ユーザーデータ記録領域への記録順序を光ピックアップ３の移動距離の最短距離で設定することが可能となり、また、光ピックアップの光ディスク１に設けられた記録層間の移動回数を最小限に抑えることも可能となるため、光ディスク１に設けられた記録層間の移動に起因するサーボエラーになる確率も小さくすることができる。
【００５３】
そのため、記録時間の短縮と記録エラー防止に対する信頼性を高めた光ディスク記録方法および光ディスク装置を実現することができる。
【００５４】
本実施の形態では、光ディスク１の複数個所に存在する光ディスク１の管理情報を記録する非ユーザーデータ記録領域への記録順序の変更が、セッションクローズ時に行なわれることし、また、セッションクローズ時に行なわれる光ディスク１の複数箇所に存在する非ユーザーデータ記録領域への一連の記録順序を、同一記録層に記録する際には、使用者の指示により利用されるユーザーデータ記録領域へ記録する際の記録終了位置から単一方向にのみ移動する記録順序とし、かつ記録層間を移動する際にはその記録層間の移動が１回であることとした。こうすることにより、セッションクローズ時に必要な時間を、使用者の指示により利用されるユーザーデータ記録領域へ記録する際の記録終了位置に大きく左右されること無く、短縮することができ、また、光ピックアップ３の移動距離を短縮することができる。
【００５５】
また、光ディスク１の複数個所に存在する光ディスク１の管理情報を記録する非ユーザーデータ記録領域への記録順序が、光ディスク１の最内周の非ユーザーデータ記録領域か、もしくは光ディスク１の最外周の非ユーザーデータ記録領域であることとした。こうすることにより、光ピックアップの移動距離を効果的に短縮することができる。
【００５６】
さらに、本実施の形態では、本発明を厚み方向に複数の記録層を持ったＤＶＤ＋Ｒなどの光ディスク１に用いることとした。こうすることにより、光ピックアップ３の光ディスク１に設けられた記録層間の移動回数を効果的に抑えることが可能となり、また光ピックアップの移動距離も効果的に短縮することができる。
【００５７】
なお、本実施の形態では、光ディスク１の複数個所に存在する光ディスク１の管理情報を記録する非ユーザーデータ記録領域への記録順序の変更が、セッションクローズ時に行なわれることし、また、セッションクローズ時に行なわれる光ディスクの複数箇所に存在する非ユーザーデータ記録領域への一連の記録順序を、同一記録層に記録する際には、使用者の指示により利用されるユーザーデータ記録領域へ記録する際の記録終了位置から単一方向にのみ移動する記録順序とし、かつ記録層間を移動する際にはその記録層間の移動が１回であることとしたが、光ディスク１の複数個所に存在する光ディスク１の管理情報を記録する非ユーザーデータ記録領域への記録順序の変更が、セッションクローズ時に行なわれることに限定されるものでは無く、また、セッションクローズ時に行なわれる光ディスクの複数箇所に存在する非ユーザーデータ記録領域への一連の記録順序を、同一記録層に記録する際には、使用者の指示により利用されるユーザーデータ記録領域へ記録する際の記録終了位置から単一方向にのみ移動する記録順序とし、かつ記録層間を移動する際にはその記録層間の移動が１回であることに限定されるものではない。セッションクローズ時に必要な時間を、使用者の指示により利用されるユーザーデータ記録領域へ記録する際の記録終了位置に大きく左右されること無く、効果的に短縮しようと思えば、光ディスク１の複数個所に存在する光ディスク１の管理情報を記録する非ユーザーデータ記録領域への記録順序の変更が、セッションクローズ時に行なわれることし、また、セッションクローズ時に行なわれる光ディスクの複数箇所に存在する非ユーザーデータ記録領域への一連の記録順序を、同一記録層に記録する際には、使用者の指示により利用されるユーザーデータ記録領域へ記録する際の記録終了位置から単一方向にのみ移動する記録順序とし、かつ記録層間を移動する際にはその記録層間の移動が１回であることが好ましい。
【００５８】
また、光ディスク１の複数個所に存在する光ディスク１の管理情報を記録する非ユーザーデータ記録領域への記録順序が、光ディスク１の最内周の非ユーザーデータ記録領域か、もしくは光ディスク１の最外周の非ユーザーデータ記録領域であることとしたが、光ディスク１の複数個所に存在する光ディスク１の管理情報を記録する非ユーザーデータ記録領域への記録順序が、光ディスク１の最内周の非ユーザーデータ記録領域か、もしくは光ディスク１の最外周の非ユーザーデータ記録領域であることに限定されるものではない。光ピックアップの移動距離を効果的に短縮しようと思えば、光ディスク１の複数個所に存在する光ディスク１の管理情報を記録する非ユーザーデータ記録領域への記録順序が、光ディスク１の最内周の非ユーザーデータ記録領域か、もしくは光ディスク１の最外周の非ユーザーデータ記録領域であることが好ましい。
【００５９】
さらに、本実施の形態では、本発明を厚み方向に複数の記録層を持ったＤＶＤ＋Ｒなどの光ディスク１に用いることとしたが、厚み方向に複数の記録層を持ったＤＶＤ＋Ｒなどの光ディスク１に用いることに限定されるものではない。本発明の効果を最大限に生かそうと思えば、本発明は厚み方向に複数の記録層を持ったＤＶＤ＋Ｒなどの光ディスク１に用いることが好ましい。
【産業上の利用可能性】
【００６０】
記録時間の短縮と記録エラー防止に対する信頼性を高めた光ディスク記録方法および光ディスク装置を実現することができ、光ディスクに対して情報の記録を行なう光ディスク記録方法および光ディスク装置などに適応可能である。
【図面の簡単な説明】
【００６１】
【図１】本発明の一実施の形態における光ディスク装置の構成を示すブロック図
【図２】本発明の一実施の形態における非ユーザーデータ記録領域の記録順序を示す図
【図３】本発明の一実施の形態における非ユーザーデータ記録領域の記録順序を示す図
【図４】本発明の一実施の形態における非ユーザーデータ記録領域の記録順序を示す図
【図５】本発明の一実施の形態における非ユーザーデータ記録領域の記録順序を示す図
【図６】本発明の一実施の形態におけるセッションクローズ時の記録順序の方法を示すフローチャート
【図７】従来の光ディスク装置の構成を示すブロック図
【図８】従来の非ユーザーデータ記録領域の記録順序を示す図
【図９】従来の非ユーザーデータ記録領域の記録順序を示す図
【図１０】従来の非ユーザーデータ記録領域の記録順序を示す図
【図１１】従来の非ユーザーデータ記録領域の記録順序を示す図
【符号の説明】
【００６２】
１    光ディスク
２    ディスクモータ
３    光ピックアップ
４    トラバース
５    ドライバ
６    ＲＦアンプ
７    信号処理部
８    サーボ制御部
９    ＣＰＵ
【図１】
2006202392.tif 000003
【図２】
2006202392.tif 000004
【図３】
2006202392.tif 000005
【図４】
2006202392.tif 000006
【図５】
2006202392.tif 000007
【図６】
2006202392.tif 000008
【図７】
2006202392.tif 000009
【図８】
2006202392.tif 000010
【図９】
2006202392.tif 000011
【図１０】
2006202392.tif 000012
【図１１】
2006202392.tif 000013